(57)【要約】【課題】肘関節に対する固定感及び肘関節の曲げ伸ばし動作容易性に優れた肘用サポーター。【解決手段】肘用サポーター１０は、軸方向への８０％伸長時弾性率について、肘頭面部２８に対する肘内面部３０の比が０．７以上にされている。また、軸方向への８０％伸長時弾性率について、上腕側内面部３４より上腕側外面部３２が大きくされていると共に、前腕側内面部３８より前腕外面部３６が大きくされている。これにより、肘用サポーター１０は、肘関節に対する固定感及び肘関節の曲げ伸ばし動作容易性に優れる。【選択図】図１
2018154951.tif 000002
【特許請求の範囲】
【請求項１】
腕の肘を含む部分に装着され、前記肘の肘頭面をサポートする肘頭面部、前記肘の内面をサポートする肘内面部、前記腕の前記肘に対して上腕側の外面をサポートする上腕側外面部、前記上腕側の内面をサポートする上腕側内面部、前記腕の前記肘に対して前腕側の外面をサポートする前腕側外面部、及び前記前腕側の内面をサポートする前腕側内面部を含む筒状のサポーター本体を備え、
前記サポーター本体の軸方向への８０％伸長時弾性率が、前記肘頭面部をＡ、前記肘内面部をＢ、前記上腕側外面部をＣ、前記上腕側内面部をＤ、前記前腕側外面部をＥ、及び前記前腕側内面部をＦとしたときに、下記式（１）から下記式（３）を満たす肘用サポーター。
０．７≦（Ｂ／Ａ）                                    ・・・（１）
１＜（Ｃ／Ｄ）                                        ・・・（２）
１＜（Ｅ／Ｆ）                                        ・・・（３）
【請求項２】
更に、前記肘頭面部、前記上腕側外面部、及び前記前腕側外面部は、下記式（４ａ）及び下記式（５ａ）の少なくとも一方を満たす請求項１に記載の肘用サポーター。
１＜（Ａ／Ｃ）                                        ・・・（４ａ）
１＜（Ａ／Ｅ）                                        ・・・（５ａ）
【請求項３】
前記肘頭面部、前記上腕側外面部、及び前記前腕側外面部は、前記式（４ａ）及び前記式（５ａ）を満たす請求項２に記載の肘用サポーター。
【請求項４】
前記肘頭面部、前記上腕側外面部、及び前記前腕側外面部は、下記式（４ｂ）及び下記式（５ｂ）の少なくとも一方を満たす請求項１から請求項３の何れか１項に記載の肘用サポーター。
１＜（Ａ／Ｃ）≦５                                    ・・・（４ｂ）
１＜（Ａ／Ｅ）≦５                                    ・・・（５ｂ）
【請求項５】
前記肘頭面部、前記上腕側外面部、及び前記前腕側外面部は、下記式（４ｃ）及び下記式（５ｃ）の少なくとも一方を満たす請求項１に記載の肘用サポーター。
０．２≦（Ａ／Ｃ）≦１                                ・・・（４ｃ）
０．２≦（Ａ／Ｅ）≦１                                ・・・（５ｃ）
【請求項６】
前記肘頭面部、前記上腕側外面部、及び前記前腕側外面部は、前記式（４ｂ）及び前記式（５ｂ）を満たす請求項５に記載の肘用サポーター。
【請求項７】
前記上腕側外面部、前記上腕側内面部、前記前腕側外面部、及び前記前腕側内面部は、下記式（６）及び下記式（７）の少なくとも一方を満たす請求項１から請求項６の何れか１項に記載の肘用サポーター。
１＜（Ｅ／Ｄ）                                        ・・・（６）
１＜（Ｃ／Ｆ）                                        ・・・（７）
【請求項８】
前記肘内面部、前記上腕側内面部、及び前記前腕側内面部は、下記式（８）及び下記式（９）の少なくとも一方を満たす請求項１から請求項７の何れか１項に記載の肘用サポーター。
６≦（Ｂ／Ｄ）≦５０                                  ・・・（８）
６≦（Ｂ／Ｆ）≦５０                                  ・・・（９）
【請求項９】
前記上腕側外面部、前記上腕側内面部、前記前腕側外面部、及び前記前腕側内面部は、下記式（２ａ）及び下記式（３ａ）の少なくとも一方を満たす請求項１から請求項８の何れか１項に記載の肘用サポーター。
２≦（Ｃ／Ｄ）≦４０                                  ・・・（２ａ）
２≦（Ｅ／Ｆ）≦４０                                  ・・・（３ａ）
【請求項１０】
前記肘頭面部、及び前記肘内面部は、下記式（１ａ）を満たす請求項１から請求項９の何れか１項に記載の肘用サポーター。
０．７≦（Ｂ／Ａ）≦３                                ・・・（１ａ）
【請求項１１】
前記前腕側外面部、及び前記前腕側内面部の各々は、前記サポーター本体の軸方向への８０％伸長時弾性率が、０．００１ＭＰａ以上であり、
前記肘内面部は、前記サポーター本体の軸方向への８０％伸長時弾性率が、１．０ＭＰａ以下である請求項１から請求項１０の何れか１項に記載の肘用サポーター。
【請求項１２】
前記肘頭面部、前記肘内面部、前記上腕側外面部、前記上腕側内面部、前記前腕側外面部、及び前記前腕側内面部の編成組織が、何れも浮き編み組織を含む編成組織である請求項１から請求項１１の何れか１項に記載の肘用サポーター。
【請求項１３】
前記肘頭面部は、前記サポーター本体の軸方向に２０Ｎの荷重で伸長させたときの該軸方向への伸長率が、５０％〜５００％である請求項１から請求項１２の何れか１項に記載の肘用サポーター。
【請求項１４】
前記上腕側内面部、及び前記前腕側内面部は、前記サポーター本体の軸方向に２０Ｎの荷重で伸長させたときの該軸方向への伸長率が、１５０％〜８５０％である請求項１から請求項１３の何れか１項に記載の肘用サポーター。
【請求項１５】
前記サポーター本体が、丸編みによって連続的に製造されたものである請求項１から請求項１４の何れか１項に記載の肘用サポーター。
【請求項１６】
前記サポーター本体が、シームレス構造を有する請求項１から請求項１５の何れか１項に記載の肘用サポーター。
【請求項１７】
更に、
前記サポーター本体に対して上腕側に配置された上腕側口ゴム部と、
前記サポーター本体に対して前腕側に配置された前腕側口ゴム部と、
を備える請求項１から請求項１６の何れか１項に記載の肘用サポーター。
【請求項１８】
前記肘頭面部に対する前記肘内面部の前記サポーター本体の軸方向への８０％伸長時弾性率の比が、１を超えている請求項１から請求項１７の何れか１項に記載の肘用サポーター。
【請求項１９】
前記肘頭面部に対する前記肘内面部の前記サポーター本体の軸方向への８０％伸長時弾性率の比が、１．１以上である請求項１から請求項１８の何れか１項に記載の肘用サポーター。
【請求項２０】
請求項１から請求項１９の何れか１項に記載の肘用サポーターを備える衣類。
【発明の詳細な説明】
【技術分野】
【０００１】
本発明は、肘用サポーター及び肘用サポーターを備えた衣類に関する。
【背景技術】
【０００２】
現在、種々な肘用サポーターが知られている。
例えば、着用者の動きやすさと肩関節の外旋の誘導を両立可能な、肘部を覆う着用物品としては、肘部を覆う本体部が伸縮性を有する素材で形成され、本体部より強い主緊締部が、上腕二頭筋の近位付着部と上腕三頭筋の近位付着部との境界から、上腕骨外側上顆間で、上腕を周回することなく設けられた肘を覆う着用物品が知られている（例えば、特許文献１参照）。
また、肘関節の安定性を向上して、肘関節の負担及び上腕二頭筋腱への負担を減少させることができる筒状編地からなる肘関節用サポーターとしては、着用者の上腕に筒状編地を締着させる第１のアンカー部が、筒状編地の一端を周回して編成され、着用者の前腕に筒状編地を締着させる第２のアンカー部が、筒状編地の他端を周回して編成されて、着用者の肘窩で交差する略Ｘ字形状に編成されて着用者の肘関節を支持する支持部が、略Ｘ字形状の編地における二つの端部が第１のアンカー部にそれぞれ連結され、他の二つの端部が第２アンカー部のそれぞれに連結されて形成されており、筒状編地の周方向における第１のアンカー部及び第２のアンカー部の伸縮抵抗が、筒状編地の周方向におけるベース生地の伸縮抵抗より大きくされ、筒状編地の長さ方向における支持部の伸縮抵抗が、筒状編地の長さ方向におけるベース生地部の伸縮抵抗より大きくされた肘関節用サポーターが知られている（例えば、特許文献２参照）。
【０００３】
肘関節近傍の適切な保護及び固定を図る肘用サポーターとしては、肘部を密着可能なサポーター本体、サポーター本体よりも伸長応力が強い強伸長応力部、及び強伸長応力部よりも伸長応力が弱く且つサポーター本体よりも伸長応力が強い中強伸長応力部と、を備え、強伸長応力部は、サポーター本体の一部に配設されて、肘部の内側側副靭帯と外側側副靭帯との少なくとも一方の靭帯の一部又は全部を覆うことができる第１強伸長応力部を有し、中強伸長応力部は、第１伸長応力部の全周部に配設された第１中強伸長応力部を有する肘用サポーターが知られている（例えば、特許文献３参照）。
また、着用者につっぱり感やサポート不足を感じさせることなく、着用部位の全体に亘って良好なフィット感を得ることができる筒状サポーターとしては、少なくとも２種類以上の弾性糸を用いて編成された編み組織からなり、第１領域及び第２領域を含むと共に、肘関節を覆う第１領域には、第２領域に編み込まれた弾性糸よりも相対的に大きな弾性力を有する弾性糸が編みこまれている筒状サポーターが知られている（例えば、特許文献４参照）。
また、運動を行った際でも安定した装着状態を保持可能な肘用サポーターとして、複数の領域を有して、装着者の肘部に装着可能な生地部分の表面に、生地部分の表面に要求される機能に応じて特性が調整された樹脂パターンを設けた肘用サポーターが知られている（例えば、特許文献５参照）。
【先行技術文献】
【特許文献】
【０００４】
【特許文献１】特開２０１６−１８０１９９号公報
【特許文献２】国際公開第２０１１／０９０１９５号
【特許文献３】特開２０１０−１３１０６６号公報
【特許文献４】特開２０１６−０６２３２６号公報
【特許文献５】特開２０１０−１１１９５６号公報
【発明の概要】
【発明が解決しようとする課題】
【０００５】
肘用サポーターに関し、肘関節に対する固定感を向上させることが望まれている。
しかし、本発明者等の検討により、筒状のサポーター本体を備える肘用サポーターにおいて、肘関節に対する固定感を向上させた場合、肘関節の曲げ伸ばし動作をやり難くなる場合があることが判明した。
本明細書中では、肘関節の曲げ伸ばし動作のやり易さを、「肘関節の曲げ伸ばし動作容易性」と称する。
【０００６】
本発明の目的は、肘関節に対する固定感及び肘関節の曲げ伸ばし動作容易性に優れた肘用サポーター及び衣類を提供することである。
【課題を解決するための手段】
【０００７】
上記目的を達成するための具体的手段は、以下の通りである。
＜１＞  腕の肘を含む部分に装着され、前記肘の肘頭面をサポートする肘頭面部、前記肘の内面をサポートする肘内面部、前記腕の前記肘に対して上腕側の外面をサポートする上腕側外面部、前記上腕側の内面をサポートする上腕側内面部、前記腕の前記肘に対して前腕側の外面をサポートする前腕側外面部、及び前記前腕側の内面をサポートする前腕側内面部を含む筒状のサポーター本体を備え、前記サポーター本体の軸方向への８０％伸長時弾性率が、前記肘頭面部をＡ、前記肘内面部をＢ、前記上腕側外面部をＣ、前記上腕側内面部をＤ、前記前腕側外面部をＥ、及び前記前腕側内面部をＦとしたときに、下記式（１）から下記式（３）を満たす肘用サポーター。
０．７≦（Ｂ／Ａ）                                  ・・・（１）
１＜（Ｃ／Ｄ）                                      ・・・（２）
１＜（Ｅ／Ｆ）                                      ・・・（３）
＜２＞  更に、前記肘頭面部、前記上腕側外面部、及び前記前腕側外面部は、下記式（４ａ）及び下記式（５ａ）の少なくとも一方を満たす＜１＞に記載の肘用サポーター。
１＜（Ａ／Ｃ）                                        ・・・（４ａ）
１＜（Ａ／Ｅ）                                        ・・・（５ａ）
＜３＞  前記肘頭面部、前記上腕側外面部、及び前記前腕側外面部は、前記式（４ａ）及び前記式（５ａ）を満たす＜２＞に記載の肘用サポーター。
＜４＞  前記肘頭面部、前記上腕側外面部、及び前記前腕側外面部は、下記式（４ｂ）及び下記式（５ｂ）の少なくとも一方を満たす＜１＞から＜３＞の何れかに記載の肘用サポーター。
１＜（Ａ／Ｃ）≦５                                    ・・・（４ｂ）
１＜（Ａ／Ｅ）≦５                                    ・・・（５ｂ）
【０００８】
＜５＞  前記肘頭面部、前記上腕側外面部、及び前記前腕側外面部は、下記式（４ｃ）及び下記式（５ｃ）の少なくとも一方を満たす＜１＞に記載の肘用サポーター。
０．２≦（Ａ／Ｃ）≦１                                ・・・（４ｃ）
０．２≦（Ａ／Ｅ）≦１                                ・・・（５ｃ）
＜６＞  前記肘頭面部、前記上腕側外面部、及び前記前腕側外面部は、前記式（４ｃ）及び前記式（５ｃ）を満たす＜５＞に記載の肘用サポーター。
＜７＞  前記上腕側外面部、前記上腕側内面部、前記前腕側外面部、及び前記前腕側内面部は、下記式（６）及び下記式（７）の少なくとも一方を満たす＜１＞から＜６＞の何れかに記載の肘用サポーター。
１＜（Ｅ／Ｄ）                                        ・・・（６）
１＜（Ｃ／Ｆ）                                        ・・・（７）
＜８＞  前記肘内面部、前記上腕側内面部、及び前記前腕側内面部は、下記式（８）及び下記式（９）の少なくとも一方を満たす＜１＞から＜７＞の何れかに記載の肘用サポーター。
６≦（Ｂ／Ｄ）≦５０                                  ・・・（８）
６≦（Ｂ／Ｆ）≦５０                                  ・・・（９）
【０００９】
＜９＞  前記上腕側外面部、前記上腕側内面部、前記前腕側外面部、及び前記前腕側内面部は、下記式（２ａ）及び下記式（３ａ）の少なくとも一方を満たす＜１＞から＜８＞の何れかに記載の肘用サポーター。
２≦（Ｃ／Ｄ）≦４０                                  ・・・（２ａ）
２≦（Ｅ／Ｆ）≦４０                                  ・・・（３ａ）
＜１０＞  前記肘頭面部、及び前記肘内面部は、下記式（１ａ）を満たす＜１＞から＜９＞の何れかに記載の肘用サポーター。
０．７≦（Ｂ／Ａ）≦３                                ・・・（１ａ）
【００１０】
＜１１＞  前記前腕側外面部、及び前記前腕側内面部の各々は、前記サポーター本体の軸方向への８０％伸長時弾性率が、０．００１ＭＰａ以上であり、前記肘内面部は、前記サポーター本体の軸方向への８０％伸長時弾性率が、１．０ＭＰａ以下である＜１＞から＜１０＞の何れかに記載の肘用サポーター。
＜１２＞  前記肘頭面部、前記肘内面部、前記上腕側外面部、前記上腕側内面部、前記前腕側外面部、及び前記前腕側内面部の編成組織が、いずれも浮き編み組織を含む編成組織である＜１＞から＜１１＞の何れかに記載の肘用サポーター。
＜１３＞  前記肘頭面部は、前記サポーター本体の軸方向に２０Ｎの荷重で伸長させたときの該軸方向への伸長率が、５０％〜５００％である＜１＞から＜１２＞の何れかに記載の肘用サポーター。
＜１４＞  前記上腕側内面部、及び前記前腕側内面部は、前記サポーター本体の軸方向に２０Ｎの荷重で伸長させたときの該軸方向への伸長率が、１５０％〜８５０％である＜１＞から＜１３＞の何れかに記載の肘用サポーター。
【００１１】
＜１５＞  前記サポーター本体が、丸編みによって連続的に製造されたものである＜１＞から＜１４＞の何れかに記載の肘用サポーター。
＜１６＞  前記サポーター本体が、シームレス構造を有する＜１＞から＜１５＞の何れかに記載の肘用サポーター。
＜１７＞  更に、前記サポーター本体に対して上腕側に配置された上腕側口ゴム部と、前記サポーター本体に対して前腕側に配置された前腕側口ゴム部と、を備える＜１＞から＜１６＞の何れかに記載の肘用サポーター。
＜１８＞  前記肘頭面部に対する前記肘内面部の前記サポーター本体の軸方向への８０％伸長時弾性率の比が、１を超えている＜１＞から＜１７＞の何れかに記載の肘用サポーター。
＜１９＞  前記肘頭面部に対する前記肘内面部の前記サポーター本体の軸方向への８０％伸長時弾性率の比が、１．１以上である＜１＞から＜１８＞の何れかに記載の肘用サポーター。
＜２０＞  ＜１＞から＜１９＞の何れかに記載の肘用サポーターを備える衣類。
【発明の効果】
【００１２】
本発明の実施形態によれば、肘関節に対する固定感及び肘関節の曲げ伸ばし動作容易性に優れた肘用サポーター及び衣類が提供される。
【図面の簡単な説明】
【００１３】
【図１】本実施の形態の具体例に係る肘用サポーターを示す斜視図である。
【図２】（Ａ）は、肘用サポーターの装着状態を腕の内面側から見た概略図、（Ｂ）は、肘用サポーターの装着状態を示す腕の外面側から見た概略図である。
【発明を実施するための形態】
【００１４】
以下、本発明の実施形態について説明する。
本明細書中において、「〜」を用いて表される数値範囲は、「〜」の前後に記載される数値を下限値及び上限値として含む範囲を意味する。
また、本明細書中において、「筒状のサポーター本体の軸方向」は、筒状のサポーター本体の形状を筒形状に維持したときの筒形状の軸方向を指す。本明細書中では、「筒状のサポーター本体の軸方向」を、単に「軸方向」ということがある。本明細書中における「軸方向」は、肘用サポーターの技術分野において「縦方向」と呼ばれることがある方向であり、筒状のサポーター本体に対して腕が挿入される方向ということもできる。
また、本明細書中において、「筒状のサポーター本体の周方向」は、筒状のサポーター本体の形状の筒形状に維持したときの周方向を指す。本明細書中では、「筒状のサポーター本体の周方向」を、単に「周方向」ということがある。本明細書中における「周方向」は、肘用サポーターの技術分野において「横方向」と呼ばれることがある方向である。
また、本明細書中では、腕の肘（肘頭部）側の面を腕の「外面」と称し、腕の肘（肘頭部）とは反対側の面を腕の「内面」と称する。本実施の形態において、腕の「外面」は、手の甲側の面であり、腕の「内面」は、手のひら側の面となる。
【００１５】
〔肘用サポーター〕
本実施の形態の肘用サポーターは、腕の肘を含む部分に装着され、肘（肘頭部）側の面（腕の外面）をサポートする肘頭面部、肘の内面（腕の内面）をサポートする肘内面部、腕の肘に対して上腕側の外面をサポートする上腕側外面部、上腕側の内面をサポートする上腕側内面部、腕の肘に対して前腕側の外面をサポートする前腕側外面部、及び前腕側の内面をサポートする前腕側内面部を含む筒状のサポーター本体を備え、サポーター本体の軸方向への８０％伸長時弾性率が、肘頭面部をＡ、肘内面部をＢ、上腕側外面部をＣ、上腕側内面部をＤ、前腕側外面部をＥ、及び前腕側内面部をＦとしたときに、下記式（１）から下記式（３）を満たす肘用サポーターである。
０．７≦（Ｂ／Ａ）                                    ・・・（１）
１＜（Ｃ／Ｄ）                                        ・・・（２）
１＜（Ｅ／Ｆ）                                        ・・・（３）
本実施の形態の肘用サポーターは、上記構成を有することにより、肘関節に対する固定感及び肘関節の曲げ伸ばし動作容易性に優れる。
【００１６】
以下、上述した効果（肘関節に対する固定感及び肘関節の曲げ伸ばし動作容易性）に関し、より詳細に説明する。
本発明者等の検討により、肘用サポーターの弾性率と肘用サポーターの腕に対する固定感との間には正の相関があることがわかった。即ち、肘用サポーターの弾性率を高くするほど、腕に対する着圧を高くすることができ（即ち、腕に対する締め付け力を強くすることができ）、その結果、着用者の体感として、腕に対する固定感が向上することがわかった。
更に、本発明者等の検討により、筒状のサポーター本体の軸方向への８０％伸長時弾性率（以下、軸方向弾性率ともいう）について、肘内面部の軸方向弾性率Ｂを、肘頭面部の軸方向弾性率Ａの０．７倍以上とすること（即ち、式（１）を満たすこと）により、肘関節に対する固定感が効果的に向上することがわかった。
【００１７】
一方、肘用サポーターの弾性率と肘用サポーターの伸びとの間には負の相関がある。
この点に関し、本実施の形態の肘用サポーターでは、上腕側内面部の軸方向弾性率Ｄが上腕外面部の軸方向弾性率Ｃよりも小さく、かつ、前腕側内面部の軸方向弾性率Ｆが前腕側外面部の軸方向弾性率Ｅよりも小さいことにより（即ち、式（２）及び式（３）を満たすことにより）、肘関節を曲げた時の、上腕側内面部及び前腕側内面部の伸びが確保されるので、肘関節の曲げ伸ばし動作容易性が向上する。より詳細には、腕の上腕側内面は、腕の上腕側外面及び前腕側外面と比較して体脂肪率が高く、かつ、肘関節を曲げた時に内側に位置する面である。このため、上腕側内面部及び前腕側内面部には、肘関節の曲げ動作時において伸びが要求される。そこで、本実施の形態では、上腕側内面部の軸方向弾性率Ｄ及び前腕側内面部の軸方向弾性率Ｆを、それぞれ、上腕側外面部の軸方向弾性率Ｃ及び前腕側外面部の軸方向弾性率Ｅよりも低くすることで、肘（肘関節）の曲げに対する上腕側内面部及び前腕側内面部の伸びが確保され、その結果、肘関節の曲げ伸ばし動作容易性が向上する。
【００１８】
本明細書中において、肘頭面部の軸方向弾性率Ａは、肘頭面部の中心位置（即ち、周方向の中心であってかつ軸方向の中心である位置）を測定中心とする、測定幅（即ち、周方向長さ）１５ｍｍの範囲について測定された値を意味する。
肘内面部の軸方向弾性率Ｂ、上腕側外面部の軸方向弾性率Ｃ、上腕側内面部の軸方向弾性率Ｄ、前腕外面部の軸方向弾性率Ｅ、及び前腕側内面部の軸方向弾性率Ｆの各々についても同様である。
【００１９】
本明細書中において、「軸方向弾性率」（軸方向への８０％伸長時弾性率）は、つかみ幅１５ｍｍ、つかみ間隔１５ｍｍ、及び引張荷重２０Ｎの条件の引張試験によって測定する。ここで、引張荷重の方向は、サポーター本体の軸方向である。
軸方向弾性率を測定するための引張試験は、肘用サポーターの一部を、つかみ幅１５ｍｍ及びつかみ間隔１５ｍｍで引張試験機に固定し、１５ｍｍ／ｍｉｎの引張速度にて引張って伸長させ、８０％伸長した時点での弾性率（引張り応力）を読み取って測定値とする。
また、引張試験は、肘用サポーターの一部に対して実施することが困難な場合には、肘用サポーターから３０ｍｍ角の試験片を切り出し、切り出された試験片に対して実施してもよい。
【００２０】
試験回数は５回とし、５回の測定値から、最大値及び最小値を除いた３つの測定値から平均値を求め、この平均値を「軸方向弾性率」として採用する。
引張試験の装置は一般的な引張試験機を用いることができるが、例えば、（株）島津製作所製のオートグラフ「ＡＧＳ−Ｘ  １ｋＮ」を用いることができる。
【００２１】
本実施の形態において、肘頭面部の軸方向弾性率Ａ、肘内面部の軸方向弾性率Ｂ、上腕側外面部の軸方向弾性率Ｃ、上腕側内面部の軸方向弾性率Ｄ、前腕側外面部の軸方向弾性率Ｅ、及び前腕側内面部の軸方向弾性率Ｆの各々は、肘頭面部、肘内面部、上腕側外面部、上腕側内面部、前腕側外面部、及び前腕側内面部の各々のサポーター本体の軸方向への８０％伸長時弾性率を示す。
【００２２】
肘頭面部の軸方向弾性率Ａに対する肘内面部の軸方向弾性率Ｂの比（Ｂ／Ａ）は、式（１）に示す通り、０．７以上である。肘頭面部の軸方向弾性率Ａに対する肘内面部の軸方向弾性率Ｂの比（Ｂ／Ａ）は、肘関節に関する固定感をより向上させる観点から、０．８以上であることが好ましく、１以上であることがより好ましく、１を超えている（１＜（Ｂ／Ａ））ことが更に好ましく、１．１以上であることが特に好ましい。
【００２３】
また、本実施の形態の肘用サポーターにおいて、肘頭面部の軸方向弾性率Ａ及び肘内面部の軸方向弾性率Ｂは、下記式（１ａ）を満たすことが好ましい。
０．７≦（Ｂ／Ａ）≦３                                ・・・（１ａ）
式（１ａ）の左辺（０．７≦（Ｂ／Ａ））は、前述の式（１）と同義であり、その効果（肘関節に関する固定感）及び肘頭面部の軸方向弾性率Ａに対する肘内面部の軸方向弾性率Ｂの比（Ｂ／Ａ）の好ましい下限値も同様である。
また、式（１ａ）の右辺（（Ｂ／Ａ）≦３）を満たすことにより、肘関節に対する固定感がより向上する。
式（１ａ）における肘頭面部の軸方向弾性率Ａに対する肘内面部の軸方向弾性率Ｂの比（Ｂ／Ａ）は、２以下であることが好ましく、１．５以下であることがより好ましい。
【００２４】
本実施の形態の肘用サポーターにおいて、上腕側外面部の軸方向弾性率Ｃ、上腕側内面部の軸方向弾性率Ｄ、前腕側外面部の軸方向弾性率Ｅ、及び前腕側内面部の軸方向弾性率Ｆが、下記式（２ａ）及び下記式（３ａ）の少なくとも一方（好ましくは下記式（３ａ）、より好ましくは下記式（２ａ）及び下記式（３ａ）の両方）を満たすことが好ましい。
２≦（Ｃ／Ｄ）≦４０                                  ・・・（２ａ）
２≦（Ｅ／Ｆ）≦４０                                  ・・・（３ａ）
本実施の形態の肘用サポーターが、式（２ａ）の左辺（２≦（Ｃ／Ｄ））及び式（３ａ）の左辺（２≦（Ｅ／Ｆ））の少なくとも一方を満たすことにより、肘関節の曲げ伸ばし動作容易性がより向上する。
本実施の形態の肘用サポーターが、式（２ａ）の右辺（（Ｃ／Ｄ）≦４０）及び式（３ａ）の右辺（（Ｅ／Ｆ）≦４０）の少なくとも一方を満たすことにより、上腕側内面部及び前腕側内面部のずれがより抑制される。
式（２ａ）における上腕側内面部の軸方向弾性率Ｄに対する上腕側外面部の軸方向弾性率Ｃの比（Ｃ／Ｄ）は、３０以下であることが好ましく、２０以下であることがより好ましい。
式（３ａ）における前腕内面部の軸方向弾性率Ｆに対する前腕側外面部の軸方向弾性率Ｅの比（Ｅ／Ｆ）は、３０以下であることが好ましく、２０以下であることがより好ましい。
【００２５】
本実施の形態の肘用サポーターの好ましい一態様（以下、「第１態様」ともいう）として、肘頭面部、上腕側外面部、及び前腕側外面部は、軸方向弾性率Ａ、Ｃ、Ｅが、下記式（４ａ）及び下記式（５ａ）の少なくとも一方（好ましくは下記式（５ａ）、より好ましくは下記式（４ａ）及び下記式（５ａ）の両方）を満たす態様が挙げられる。
１＜（Ａ／Ｃ）                                        ・・・（４ａ）
１＜（Ａ／Ｅ）                                        ・・・（５ａ）
第１態様は、肘頭面部の軸方向弾性率Ａを、相対的に、上腕側外面部の軸方向弾性率Ｃ及び前腕側外面部の軸方向弾性率Ｅの少なくとも一方（好ましくは両方）よりも高くする態様である。
第１態様によれば、着用者の体感として、肘関節に対する固定感がより効果的に向上する。即ち、第１態様は、特に、肘関節に対する固定感を重視する場合に好適である。
【００２６】
第１態様の肘用サポーターでは、肘頭面部、肘内面部、上腕側外面部、及び上腕側内面部を軸方向弾性率が高いものから順に並べた場合に、肘頭面部及び肘内面部のいずれか一方、肘頭面部及び肘内面部の他方、上腕側外面部、上腕側内面部の順となることが好ましい。
また、第１態様の肘用サポーターにおいて、肘頭面部、肘内面部、前腕側外面部、及び前腕側内面部を軸方向弾性率が高いものから順に並べた場合に、肘頭面部及び肘内面部のいずれか一方、肘頭面部及び肘内面部の他方、前腕側外面部、前腕側内面部の順となることが好ましい。
【００２７】
第１態様において、肘頭面部、上腕側外面部、及び前腕側外面部は、軸方向弾性率Ａ、Ｃ、Ｅが、下記式（４ｂ）及び下記式（５ｂ）の少なくとも一方（好ましくは下記式（５ｂ）、より好ましくは下記式（４ｂ）及び下記式（５ｂ）の両方）を満たすことが好ましい。
１＜（Ａ／Ｃ）≦５                                    ・・・（４ｂ）
１＜（Ａ／Ｅ）≦５                                    ・・・（５ｂ）
第１態様の肘用サポーターが、式（４ｂ）の左辺（１＜（Ａ／Ｃ））及び式（５ｂ）の左辺（１＜（Ａ／Ｅ））の少なくとも一方を満たすことにより、肘関節に対する固定感が向上する。
【００２８】
第１態様において、上腕側外面部の軸方向弾性率Ｃに対する肘頭面部の軸方向弾性率Ａの比（Ａ／Ｃ）としては、肘関節に対する固定感をより向上させる観点から、１．５以上が好ましく、２以上がより好ましい。
第１態様において、前腕側外面部の軸方向弾性率Ｅに対する肘頭面部の軸方向弾性率Ａの比（Ａ／Ｅ）としては、肘関節に対する固定感をより向上させる観点から、１．５以上が好ましく、２以上がより好ましい。
第１態様の肘用サポーターが、式（４ｂ）の右辺（（Ａ／Ｃ）≦５）及び式（５ｂ）の右辺（（Ａ／Ｅ）≦５）の少なくとも一方を満たすことにより、肘に対する過度の締め付け（圧迫）がより抑制される。
【００２９】
本実施の形態の肘用サポーターの、第１態様とは別の好ましい一態様（以下、「第２態様」ともいう）として、肘頭面部、上腕側外面部、及び前腕側外面部において、軸方向弾性率Ａ、Ｃ、Ｅは、下記式（４ｃ）及び下記式（５ｃ）の少なくとも一方（好ましくは下記式（５ｃ）、より好ましくは下記式（４ｃ）及び下記式（５ｃ）の両方）を満たす態様も挙げられる。
０．２≦（Ａ／Ｃ）≦１                                ・・・（４ｃ）
０．２≦（Ａ／Ｅ）≦１                                ・・・（５ｃ）
【００３０】
第２態様は、肘頭面部の軸方向弾性率Ａを、相対的に、上腕側外面部の軸方向弾性率Ｃ及び前腕側外面部の軸方向弾性率Ｅの少なくとも一方（好ましくは両方）とする態様である。
第２態様によれば、着用者の体感として、肘関節の曲げ伸ばし動作容易性がより効果的に向上する。即ち、第２態様は、特に、肘関節の曲げ伸ばし動作容易性を重視する場合に好適である。
【００３１】
本実施の形態の肘用サポーターの、第１態様及び第２態様とは別の好ましい一態様（以下、「第３態様」ともいう）として、肘頭面部、上腕側外面部、及び前腕側外面部において、軸方向弾性率Ａ、Ｃ、Ｅが、第１態様における式（４ａ）及び第２態様における式（５ｃ）を満たす態様が挙げられる。
第３態様では、上記軸方向弾性率Ａ、Ｃ、Ｅが、Ｃ＜Ａ≦Ｅとなる。
第３態様によれば、着用者の体感として、肘関節の曲げ伸ばし動作容易性がより効果的に向上する。即ち、第３態様は、特に、肘関節の曲げ伸ばし動作容易性を重視する場合に好適である。
【００３２】
本実施の形態の肘用サポーター（上記第１〜第３態様の肘用サポーターを含む。以下同じ。）において、上腕側外面部、上腕側内面部、前腕側外面部、及び前腕側内面部は、軸方向弾性率Ｃ、Ｄ、Ｅ、Ｆが、下記式（６）及び下記式（７）の少なくとも一方を満たすことが好ましい。これにより、肘関節の曲げ伸ばし動作容易性がより向上する。
１＜（Ｅ／Ｄ）                                        ・・・（６）
１＜（Ｃ／Ｆ）                                        ・・・（７）
式（６）における上腕側内面部の軸方向弾性率Ｄに対する前腕側外面部の軸方向弾性率Ｅの比（Ｅ／Ｄ）は、４０以下であることが好ましい。
式（７）における前腕側内面部の軸方向弾性率Ｆに対する上腕側外面部の軸方向弾性率Ｃの比（Ｃ／Ｆ）は、４０以下であることが好ましい。
【００３３】
本実施の形態の肘用サポーターにおいて、肘内面部、上腕側内面部、上腕側外面部、及び前腕側内面部は、軸方向弾性率Ｂ、Ｄ、Ｆが、下記式（８）及び下記式（９）の少なくとも一方（好ましくは下記式（９）、より好ましくは下記式（８）及び下記式（９）の両方）を満たすことが好ましい。
６≦（Ｂ／Ｄ）≦５０                                  ・・・（８）
６≦（Ｂ／Ｆ）≦５０                                  ・・・（９）
本実施の形態の肘用サポーターが、式（８）の左辺（６≦（Ｂ／Ｄ））及び式（９）の左辺（６≦（Ｂ／Ｆ））の少なくとも一方を満たすことにより、肘関節に対する固定感がより向上する。
【００３４】
本実施の形態の肘用サポーターが、式（８）の右辺（（Ｂ／Ｄ）≦５０）及び式（９）の右辺（（Ｂ／Ｆ）≦５０）の少なくとも一方を満たすことにより、上腕側内面部及び前腕側内面部の少なくとも一方のずれ（着用時のずれ。以下同じ。）がより抑制される。
式（８）において、上腕側内面部の軸方向弾性率Ｄに対する肘内面部の軸方向弾性率Ｂの比（Ｂ／Ｄ）は、１０以上であることが好ましい。
式（９）において、前腕側内面部の軸方向弾性率Ｆに対する肘内面部の軸方向弾性率Ｂの比（Ｂ／Ｆ）は、１０以上であることが好ましい。
【００３５】
本実施の形態の肘用サポーターにおいて、上腕側内面部のずれをより抑制する観点から、上腕側内面部の軸方向弾性率Ｄは、０．００１ＭＰａ以上であることが好ましく、０．０１ＭＰａ以上であることがより好ましい。
また、本実施の形態の肘用サポーターにおいて、上腕側内面部の軸方向弾性率Ｄは、０．１ＭＰａ以下であることが好ましく、０．０８ＭＰａ以下であることが寄り好ましい。
本実施の形態の肘用サポーターにおいて、前腕側内面部のずれをより抑制する観点から、前腕側内面部の軸方向弾性率Ｆは、０．００１ＭＰａ以上であることが好ましく、０．０１ＭＰａ以上であることがより好ましい。
また、本実施の形態の肘用サポーターにおいて、前腕側内面部の軸方向弾性率Ｆは、０．１ＭＰａ以下であることが好ましく、０．０８ＭＰａ以下であることが寄り好ましい。
【００３６】
また、本実施の形態の肘用サポーターにおいて、肘（肘関節）に対する過度の締め付け（圧迫）をより抑制し、着用時の快適性をより向上させる観点から、肘内面部の軸方向弾性率Ｂは、１．０ＭＰａ以下であることが好ましく、０．７ＭＰａ以下であることがより好ましい。
また、本実施の形態の肘用サポーターにおいて、肘に対する固定感をより向上させる観点から、肘内面部の軸方向弾性率Ｂは、０．０５ＭＰａ以上であることが好ましく、０．３ＭＰａ以上であることがより好ましい。
本実施の形態の肘用サポーターにおいて、上腕側外面部のずれをより抑制する観点から、上腕側外面部の軸方向弾性率Ｃは、０．００１ＭＰａ以上であることが好ましく、０．５ＭＰａ以上であることがより好ましい。
また、本実施の形態の肘用サポーターにおいて、上腕側外面部の軸方向弾性率Ｃは、１．９ＭＰａ以下であることが好ましく、１．２ＭＰａ以下であることが寄り好ましい。
【００３７】
本実施の形態の肘用サポーターにおいて、前腕側外面部のずれをより抑制する観点から、前腕側外面部の軸方向弾性率Ｅは、０．００１ＭＰａ以上であることが好ましく、０．５ＭＰａ以上であることがより好ましい。
また、本実施の形態の肘用サポーターにおいて、前腕側外面部の軸方向弾性率Ｅは、１．９ＭＰａ以下であることが好ましく、１．２ＭＰａ以下であることがより好ましい。
また、本実施の形態の肘用サポーターにおいて、肘に対する過度の締め付け（圧迫）をより抑制し、着用時の快適性をより向上させる観点から、肘頭面部の軸方向弾性率Ａは、０．８ＭＰａ以下であることが好ましく、０．６ＭＰａ以下であることがより好ましい。
また、本実施の形態の肘用サポーターにおいて、肘に対する固定感をより向上させる観点から、肘頭面部の軸方向弾性率Ａは、０．１ＭＰａ以上であることが好ましく、０．３ＭＰａ以上であることがより好ましい。
【００３８】
本実施の形態の肘用サポーターにおいて、肘頭面部の編成組織、肘内面部の編成組織、上腕側外面部の編成組織、上腕側内面部の編成組織、前腕側外面部の編成組織、及び前腕側内面部の編成組織の各々が、いずれも浮き編み組織を含む編成組織であることが好ましい。
上記各部の編成組織が浮き編み組織を含む編成組織である場合には、肘用サポーターの製造時、各部間で浮き糸の密度や分布を変化させることにより各部の軸方向弾性率を容易に調整できる。このため、式（１）〜式（３）を満たす肘用サポーターを製造し易い。
【００３９】
また、本実施の形態の肘用サポーターにおいて、上腕側内面部及び前腕側内面部は、いずれも凹凸組織領域を含むことが好ましい。この態様によれば、特に、前述の式（８）及び式（９）の少なくとも一方を達成し易い。
凹凸組織領域の好ましい形態については、後述の衣類における凹凸組織領域の好ましい形態を参照できる。
【００４０】
肘頭面部は、筒状のサポーター本体の軸方向に２０Ｎの荷重で伸長させたときの該軸方向の伸長率（以下、単に「２０Ｎ軸方向伸長率」ともいう）が、５０％〜５００％であることが好ましい。
肘頭面部の２０Ｎ軸方向伸長率が５０％以上であると、肘関節の曲げ伸ばし動作容易性がより向上する。
肘頭面部の２０Ｎ軸方向伸長率が５００％以下であると、肘関節に対する固定感がより向上する。
肘頭面部の２０Ｎ軸方向伸長率は、肘関節に対する固定感をより向上させる観点から、４００％以下が好ましく、３００％以下がより好ましく、２００％以下が特に好ましい。
【００４１】
本明細書中において、肘頭面部の２０Ｎ軸方向伸長率は、肘頭面部の中心位置（即ち、周方向の中心であってかつ軸方向の中心である位置）を測定中心とする、測定幅（即ち、周方向長さ）１５ｍｍの範囲について測定された値を意味する。
後述する上腕側内面部の２０Ｎ軸方向伸長率及び上腕側サポート部の２０Ｎ軸方向伸長率についても同様である。
【００４２】
本明細書中において、「２０Ｎ軸方向伸長率」は、つかみ幅１５ｍｍ、つかみ間隔１５ｍｍ、及び引張荷重２０Ｎの条件の引張試験によって測定する。ここで、引張荷重の方向は、サポーター本体の軸方向である。
「２０Ｎ軸方向伸長率」は、下記式により算出される値を指す。
２０Ｎ軸方向伸長率（％）  ＝  （Ｌ２０／Ｌ０）×１００
〔上記式において、Ｌ０は、初期（即ち非伸長時）のつかみ間隔を指し、具体的には、１５ｍｍである。Ｌ２０は、２０Ｎの引張荷重が印加された状態（即ち伸長時）でのつかみ間隔を指す。〕
【００４３】
２０Ｎ軸方向伸長率を測定するための引張試験は、肘用サポーターの一部を、つかみ幅１５ｍｍ及びつかみ間隔１５ｍｍで引張試験機に固定し、１５ｍｍ／ｍｉｎの引張速度にて行う。
また、引張試験は、肘用サポーターの一部に対して実施することが困難な場合には、肘用サポーターから３０ｍｍ角の試験片を切り出し、切り出された試験片に対して実施してもよい。
試験回数は５回とし、５回の測定値から、最大値及び最小値を除いた３つの測定値から平均値を求め、この平均値を「２０Ｎ軸方向伸長率」として採用する。
引張試験の装置は一般的な引張試験機を用いることができるが、例えば、（株）島津製作所製のオートグラフ「ＡＧＳ−Ｘ  １ｋＮ」を用いることができる。
【００４４】
上腕側内面部は、２０Ｎ軸方向伸長率が１５０％〜８５０％であることが好ましい。
上腕側内面部の２０Ｎ軸方向伸長率が１５０％以上であると、肘関節の曲げ伸ばし動作容易性がより向上する。
上腕側内面部の２０Ｎ軸方向伸長率が８５０％以下であると、上腕側内面部のずれがより抑制される。
前腕側内面部は、２０Ｎ軸方向伸長率が１５０％〜８５０％であることが好ましい。
前腕側内面部の２０Ｎ軸方向伸長率が１５０％以上であると、肘関節の曲げ伸ばし動作容易性がより向上する。
前腕側内面部の２０Ｎ軸方向伸長率が８５０％以下であると、前腕側内面部のずれがより抑制される。
【００４５】
また、上腕側内面部の軸方向の最大点伸度は、２１０％〜８５０％であることが好ましく、４２０％〜７５０％であることがより好ましい。
上腕側内面部の軸方向の最大点伸度が２１０％以上であると、肘関節の曲げ伸ばし動作における筋肉の伸び縮みにより追従し易くなり、その結果、肘関節の曲げ伸ばし動作容易性がより向上する。
上腕側内面部の軸方向の最大点伸度が８５０％以下であると、上腕側内面部のずれがより抑制される。
また、前腕側内面部の軸方向の最大点伸度は、２１０％〜８５０％であることが好ましく、４２０％〜７５０％であることがより好ましい。
前腕側内面部の軸方向の最大点伸度が２１０％以上であると、肘関節の曲げ伸ばし動作における筋肉の伸び縮みにより追従し易くなり、その結果、肘関節の曲げ伸ばし動作容易性がより向上する。
前腕側内面部の軸方向の最大点伸度が８５０％以下であると、上腕側内面部のずれがより抑制される。
【００４６】
ここで、最大点伸度を測定するための引張試験は、肘用サポーターの一部を、つかみ幅１５ｍｍ及びつかみ間隔１５ｍｍで引張試験機に固定し、１５ｍｍ／ｍｉｎの引張速度にて行う。
また、引張試験は、肘用サポーターの一部に対して実施することが困難な場合には、肘用サポーターから３０ｍｍ角の試験片を切り出し、切り出された試験片に対して実施してもよい。
試験回数は５回とし、５回の測定値から、最大値及び最小値を除いた３つの測定値から平均値を求め、この平均値を「最大点伸度」として採用する。
引張試験の装置は一般的な引張試験機を用いることができるが、例えば、（株）島津製作所製のオートグラフ「ＡＧＳ−Ｘ  １ｋＮ」を用いることができる。
【００４７】
筒状のサポーター本体は、丸編みによって連続的に製造されたものであることが好ましい。
これにより、筒状のサポーター本体を構成する各部が別個に製造され、次いでこれらを縫い合わせた場合と比較して、縫い目によって形成された突起部による違和感を生じることなく、装着時のフィット感がより向上するという効果が奏される。更に、上記各部が、丸編みによって連続的に製造されたものであると、筒状のサポーター本体の全体の伸長率を確保し易いという効果も奏される。
【００４８】
また、筒状のサポーター本体の構造に着目すると、上述した装着時のフィット感及び伸長率の確保の観点から、筒状のサポーター本体は、シームレス構造を有することが好ましい。ここで、シームレス構造とは、軸方向の縫い目（例えば、縫い合わせにより筒形状を形成するための縫い目）も周方向の縫い目（例えば、各部を縫い合わせるための縫い目）も無い一体型の構造を意味する。
シームレス構造の筒状のサポーター本体は、例えば、筒状のサポーター本体を、丸編みによって連続的に製造することにより形成できる。
【００４９】
本実施の形態の肘用サポーターは、更に、筒状のサポーター本体に対して上腕側に配置された上腕側口ゴム部と、筒状のサポーター本体に対して前腕側に配置された前腕側口ゴム部と、を備えることが好ましい。これにより、肘用サポーターのずれ落ちやめくれがより効果的に抑制される。
本実施の形態の肘用サポーターが上腕側口ゴム部及び前腕側口ゴム部を備える場合、上腕側口ゴム部及び前腕側口ゴム部は、それぞれ、縫い合わせによってサポーター本体と接続されていてもよいし、それぞれ、丸編みによってサポーター本体とともに連続的に製造されていてもよい。
また、少なくとも上記上腕側口ゴム部の裏面（即ち、腕との対向面。以下同じ。）の少なくとも一部には、肘用サポーターのずれ落ち抑制の観点から、樹脂層（例えば、シリコーンゴム層、アクリル樹脂層、アクリルウレタン樹脂層等）が設けられていることが好ましい。樹脂層は、例えば印刷によって形成できる。樹脂層は、前腕側口ゴム部の裏面に設けられていてもよい。
【００５０】
なお、肘用サポーターは、上記以外のその他の部材を備えていてもよい。
その他の部材としては、例えば肘の脇に対応する位置に設けられ、適度に肘の動きを制御することによって肘を保護する棒状の支持部材（ステー）；サポーター本体を腕に固定するための固定ベルト；等が挙げられる。
特に、上腕側口ゴム部の表面（腕との対向面に対して反対側の面）に固定ベルトを備えることにより、肘用サポーターのずれ落ちをより効果的に抑制できる。固定ベルトは、腕に対する締め付け力を調整する部材（例えば面ファスナー）を備えることが好ましい。
【００５１】
本実施の形態における肘頭面部は、筒状のサポーター本体の周方向への８０％伸長時の弾性率（以下、「周方向弾性率」ともいう）ＡＬに対する軸方向弾性率Ａの比（Ａ／ＡＬ）が、０．４以上であることが好ましく、０．５以上であることがより好ましく、０．７以上であることが更に好ましく、１以上であることが更に好ましく、１を超えることが更に好ましい。肘頭面部の周方向弾性率ＡＬに対する軸方向弾性率Ａの比（Ａ／ＡＬ）が０．５以上であると、肘関節に対する固定感がより向上する。
肘頭面部における周方向弾性率ＡＬに対する軸方向弾性率Ａの比（Ａ／ＡＬ）としては、肘関節に対する固定感をより向上させる観点から、１．２以上が更に好ましく、１．５以上が更に好ましい。
一方、肘頭面部における周方向弾性率ＡＬに対する軸方向弾性率Ａの比（Ａ／ＡＬ）としては、肘関節に対するフィット感をより向上させる観点から、５．０以下が好ましく、４．０以下がより好ましく、３．０以下が特に好ましい。
【００５２】
本明細書中、周方向弾性率の測定方法は、試験方向を周方向とすること以外は軸方向弾性率の測定方法と同様である。
肘内面部の周方向弾性率ＢＬ、上腕側外面部の周方向弾性率ＣＬ、上腕側内面部の周方向弾性率ＤＬ、前腕側外面部の周方向弾性率ＥＬ、及び前腕側内面部の周方向弾性率ＦＬの各々についても同様である。
【００５３】
本実施の形態における肘内面部は、周方向弾性率ＢＬに対する軸方向弾性率Ｂの比（Ｂ／ＢＬ）が１を超えることが好ましい。これにより、肘関節に対する固定感がより向上する。
肘内面部における周方向弾性率ＢＬに対する軸方向弾性率Ｂの比（Ｂ／ＢＬ）としては、肘関節に対する固定感をより向上させる観点から、１．５以上が好ましく、２．０以上がより好ましい。
一方、肘内面部における周方向弾性率ＢＬに対する軸方向弾性率Ｂの比（Ｂ／ＢＬ）としては、肘関節に対するフィット感をより向上させる観点から、６．０以下が好ましく、５．０以下がより好ましい。
【００５４】
本実施の形態における上腕側内面部は、周方向弾性率ＤＬに対する軸方向弾性率Ｄの比（Ｄ／ＤＬ）が１未満であることが好ましい。これにより、肘関節の曲げ伸ばし動作容易性がより向上する。
上腕側内面部における周方向弾性率ＤＬに対する軸方向弾性率Ｄの比（Ｄ／ＤＬ）比としては、肘関節の曲げ伸ばし動作容易性をより向上させる観点から、０．８以下が好ましく、０．５以下がより好ましく、０．４以下が特に好ましい。
また、上腕側内面部における周方向弾性率ＤＬに対する軸方向弾性率Ｄの比（Ｄ／ＤＬ）としては、製造適性の観点から、０．１以上が好ましい。
【００５５】
本実施の形態における前腕側内面部は、周方向弾性率ＦＬに対する軸方向弾性率Ｆの比（Ｆ／ＦＬ）が１未満であることが好ましい。これにより、肘関節の曲げ伸ばし動作容易性がより向上する。
前腕側内面部における周方向弾性率ＦＬに対する軸方向弾性率Ｆの比（Ｆ／ＦＬ）としては、肘関節の曲げ伸ばし動作容易性をより向上させる観点から、０．８以下が好ましく、０．５以下がより好ましく、０．４以下が特に好ましい。
【００５６】
次に、図面を参照しながら、本実施形態の具体例について説明するが、本実施形態は、以下の具体例に限定されることはない。
図１には、具体例に係る肘用サポーター１０の概略構成が斜視図にて示されている。また、図２（Ａ）には、肘用サポーター１０の着用状態が腕の内面を着用者の前側に向けた状態を着用者の前側から見た正面図にて示され、図２（Ｂ）には、肘用サポーター１０の着用状態が腕の外面を着用者の後側に向けた状態を着用者の後側から見た裏面図にて示されている。なお、各図では、筒状のサポーター本体の軸方向の上側が矢印ＵＰ、内側が矢印ＩＮで示され、筒状のサポーターの周方向が矢印Ｒにて示されている。
本明細書中において、「外側」とは、腕において肘頭側を指し、「内側」とは、腕において肘頭とは反対側を指す。また、本明細書中において、「上側」とは、腕において前腕から上腕に向かう側（前腕から見た上腕側）を指す。
【００５７】
図２（Ａ）及び図２（Ｂ）に示されるように、本具体例に係る肘用サポーター１０は、着用者の腕１２に着用される。この際、肘用サポーター１０は、肘頭１４（図２（Ｂ）参照）を挟んで、肘頭１４の下側の前腕１８から肘頭１４の上側の上腕１６に跨って着用される。なそ、本明細書中では、肘頭１４を肘ともいう。
図１、図２（Ａ）及び図３（Ｂ）に示されるように、肘用サポーター１０は、筒状のサポーター本体２０を備えている。サポーター本体２０は、腕１２の肘頭１４を中心に肘頭（肘）１４の周囲を腕１２の全周に渡ってサポートする肘サポート部２２、肘頭１４の上側の上腕１６側を全周に渡ってサポートする上腕側サポート部２４、及び肘頭１４の下側の前腕１８側を全周に渡ってサポートする前腕側サポート部２６を含んでいる。
【００５８】
肘サポート部２２は、腕１２において肘頭１４側の面をサポートする肘頭面部２８、及び肘頭１４とは反対側の面（内面）をサポートする肘内面部３０により形成されている。
上腕側サポート部２４は、腕１２の外面（肘頭１４側の面）をサポートする上腕側外面部３２、及び腕１２の内面（肘頭１４とは反対側の面）をサポートする上腕側内面部３４により形成されている。
前腕側サポート部２６は、腕１２の外面（肘頭１４側の面）をサポートする前腕側外面部３６、及び腕１２の内面（肘頭１４とは反対側の面）をサポートする前腕側内面部３８により形成されている。
【００５９】
また、肘用サポーター１０は、筒状のサポーター本体２０に対して上腕１６側に配置された上腕側口ゴム部４０、及び筒状のサポーター本体２０に対して前腕１８側に配置された前腕側口ゴム部４２を備えている。
【００６０】
更に、軸方向への８０％伸長時弾性率（軸方向弾性率）について、肘頭面部２８の軸方向弾性率をＡ、肘内面部３０の軸方向弾性率をＢ、上腕側外面部３２の軸方向弾性率をＣ、上腕側内面部３４の軸方向弾性率をＤ、前腕側外面部３６の軸方向弾性率をＥ、及び前腕側内面部３８の軸方向弾性率をＦとしたとき、サポーター本体２０の肘頭面部２８、肘内面部３０、上腕側外面部３２、上腕側内面部３４、前腕側外面部３６、及び前腕側内面部３８の各々は、前述の式（１）〜式（３）、式（４ａ）、及び式（５ａ）を満たす（以上、第１態様）か、前述の式（１）〜式（３）、式（４ｃ）、及び式（５ｃ）を満たす（以上、第２態様）か、又は、前述の式（１）〜式（３）、式（４ａ）、及び式（５ｃ）を満たす（以上、第３態様）。
各部の軸方向弾性率のより好ましい態様は、前述のとおりである。
肘用サポーター１０において、各部の境界線は、外見上、必ずしも明確である必要はない。各部の境界線が外見上明確でない場合であっても、各部の境界線は、各部の弾性率の差によって区別することができる。
【００６１】
肘用サポーター１０において、上腕側口ゴム部４０、サポーター本体２０、及び前腕側口ゴム部４２は、丸編みによって連続的に製造されており、シームレス構造を有している。これにより、装着時のフィット感に特に優れたものとなっている。
但し、本実施の形態はこの一例に限られず、各部を単独の部材として別々に製造しておき、次いで各部を縫い合わせることによってサポーター本体を製造しても構わない。
また、上腕側口ゴム部４０、サポーター本体２０、及び前腕側口ゴム部４２を含めた肘用サポーター１０の全体又は一部を、丸編みによって連続的に製造してもよい。即ち、肘用サポーター１０の全体又は一部の構造がシームレス構造となっていてもよい。
【００６２】
肘用サポーター１０の材質としては、ポリエステル、ポリプロピレン、ポリウレタン、ポリオレフィン、ポリオレフィン系エラストマー、ポリアミド、レーヨン、アクリル、キュプラ、アセテート、プロミックス、アラミド、シリコーンなどの化繊；綿、羊毛、絹、麻、レーヨンなどの天然繊維；天然ゴム；ポリ塩化ビニル；等が挙げられる。
中でも、ポリエステル、ポリウレタン、ポリアミド、ポリオレフィン、ポリオレフィン系エラストマー、シリコーン、又は天然ゴムが好ましく、長期耐久性の観点から、ポリエステル、ポリウレタン、ポリアミド、ポリオレフィン、又はポリオレフィン系エラストマーがより好ましい。
肘用サポーター１０の紡糸としては、モノフィラメント；マルチフィラメント；ウレタン又はゴムを被覆したＳＣＹ（Single Covering Yarn）；ウレタン又はゴムを被覆したＤＣＹ（Double Covering Yarn）；等が挙げられる。
【００６３】
肘頭面部２８の編成組織、肘内面部３０の編成組織、上腕側外面部３２の編成組織、上腕側内面部３４の編成組織、前腕側外面部３６の編成組織、及び前腕側内面部３８の編成組織は、前述のとおり、いずれも浮き編み組織を含む編成組織であることが好ましい。
上腕側口ゴム部４０及び前腕側口ゴム部４２の編み組織としては、ゴム編み組織又はノンラン編み組織が好ましい。
肘用サポーター１０の編み組織の表面には、樹脂が含浸されていてもよいし、印刷が施されていてもよい。
【００６４】
また、肘用サポーター１０は、編み組織以外のその他の組織を含んでいてもよい。
その他の組織としては、ネオプレンゴムを含む組織、ネオプレンゴム積層体を含む組織等が挙げられる。
肘用サポーター１０の、材質、紡糸、及び編み組織については、例えば、特開２０１１−１３０７８４号公報、特開２００７−９３６２号公報、特開２０１０−１３７６５号公報、特開２０００−１１６６９７号公報、特開２００７−５４１２６号公報等に記載の公知の材質、紡糸、及び編み組織を参照してもよい。
【００６５】
次に、肘用サポーター１０の好ましい大きさを、図１を参照しながら説明する。なお、本明細書中における軸方向長さは、非伸長時の軸方向長さを意味し、本明細書中における平均周長は、非伸長時の平均周長を意味する。
【００６６】
肘頭面部２８及び肘内面部３０から成る肘サポート部２２の軸方向長さＬ１は、６０ｍｍ〜２００ｍｍが好ましく、８０ｍｍ〜１８０ｍｍがより好ましい。
上腕側外面部３２及び上腕側内面部３４からなる上腕側サポート部２４の軸方向長さＬ２は、３０ｍｍ〜２００ｍｍが好ましく、３０ｍｍ〜１５０ｍｍがより好ましい。
前腕側外面部３６及び前腕側内面部３８からなる前腕側サポート部２６の軸方向長さＬ３は、３０ｍｍ〜２００ｍｍが好ましく、３０ｍｍ〜１５０ｍｍがより好ましい。
上腕側口ゴム部４０の軸方向長さＬ４は、１０ｍｍ〜１００ｍｍが好ましく、１０ｍｍ〜８０ｍｍがより好ましく、２０ｍｍ〜７０ｍｍが特に好ましい。
前腕側口ゴム部４２の軸方向長さＬ５は、１０ｍｍ〜１００ｍｍが好ましく、１０ｍｍ〜８０ｍｍがより好ましく、２０ｍｍ〜７０ｍｍが特に好ましい。
【００６７】
肘用サポーター１０（全体）の軸方向長さは、１４０ｍｍ〜７６０ｍｍが好ましく、１８０ｍｍ〜６２０ｍｍがより好ましい。
本明細書中において、軸方向長さは、下記式で表される値である。
軸方向長さ  ＝  （軸方向の最大長さ＋軸方向の最小長さ）／２
【００６８】
肘サポート部２２の平均周長は、１００ｍｍ〜３００ｍｍが好ましく、１５０ｍｍ〜２８０ｍｍがより好ましい。
上腕側サポート部２４の平均周長は、１００ｍｍ〜４００ｍｍが好ましく、１５０ｍｍ〜３５０ｍｍがより好ましい。
前腕側サポート部２６の平均周長は、１００ｍｍ〜３５０ｍｍが好ましく、１００ｍｍ〜３００ｍｍがより好ましい。
【００６９】
上腕側口ゴム部４０の平均周長は、１８０ｍｍ〜３５０ｍｍが好ましく、１８０ｍｍ〜３２０ｍｍがより好ましく、２００ｍｍ〜３２０ｍｍが特に好ましい。
前腕側口ゴム部４２の平均周長は、１００ｍｍ〜３５０ｍｍが好ましく、１２０ｍｍ〜３００ｍｍがより好ましい。
ここで、平均周長は、下記式で表される値である。
平均周長    ＝  （最大周長＋最小周長）／２
【００７０】
〔衣類〕
本実施の形態に係る衣類は、上述した肘用サポーターを備える衣類である。
本実施の形態に係る衣類によれば、本実施形態の肘用サポーターと同様の効果が奏される。
【００７１】
本実施の形態に係る衣類としては、肘を覆う長さの袖を備える衣類であれば良く、シャツ（例えば、スポーツシャツ、Ｔシャツ、コンプレッションシャツ、医療用シャツ、トップス（例えば、スポーツ用又はインナー用等のトップス、アンダーウエア、肌着）等が挙げられる。また、本実施の形態に係る衣類としては、肘を覆う長さの袖を備える手袋（長手袋）、指サック、包帯等が挙げられる。
本実施の形態に係る衣類では、肘用サポーターと肘用サポーター以外の部分とが、縫合されていてもよいし、接着剤によって接着されていてもよい。
また、本実施の形態に係る衣類では、肘用サポーターと肘用サポーター以外の部分とが丸網みによって一体連続的に製造されていてもよい。
【００７２】
一方、本実施の形態に係る衣類は、筒状の肘関節用サポーター部を備える衣類であって、筒状の肘関節用サポーター部が、肘関節部位をサポートする筒状の関節用サポーター部の軸方向の中央領域と、中央領域に対して軸方向の一端側に位置する一端側領域と、中央領域に対して軸方向の他端側に位置する他端側領域と、を含み、軸方向への８０％伸長時弾性率（軸方向弾性率）について、中央領域の中での最低値を軸方向弾性率ＥＣとし、一端側領域の中での最低値を軸方向弾性率ＥＥ１とし、他端側領域の中での最低値を軸方向弾性率ＥＥ２とした場合に、軸方向弾性率ＥＣが、軸方向弾性率ＥＥ１及び軸方向弾性率ＥＥ２の少なくとも一方に対して５倍〜５０倍である衣類である。
中央領域は、肘頭面部及び肘内面部を含む領域を適用でき、一端側領域及び他端側領域の一方は、上腕側外面部及び上腕側内面部を含む領域を適用でき、一端側領域及び他端側領域の他方は、前腕側外面部及び前腕側内面部を含む領域を適用できる。
【００７３】
本実施の形態に係る衣類の筒状の肘関節用サポーター部は、上記構成を有することにより、肘関節に対する固定感に優れ、かつ、着用時におけるずれが抑制される。
詳細には、軸方向弾性率ＥＣが、軸方向弾性率ＥＥ１及び軸方向弾性率ＥＥ２の少なくとも一方に対して５倍以上であることにより、肘関節部位に対する固定感が向上する。
【００７４】
また、軸方向弾性率ＥＣが、軸方向弾性率ＥＥ１及び軸方向弾性率ＥＥ２の少なくとも一方に対して５０倍以下であることにより、着用時におけるずれ（詳細には、一端側領域及び他端側領域のずれ）が抑制される。
また、軸方向弾性率ＥＣが、軸方向弾性率ＥＥ１及び軸方向弾性率ＥＥ２の少なくとも一方に対して５０倍以下であることにより、肘関節の曲げ伸ばし動作容易性が向上するという効果も奏される。
また、軸方向弾性率ＥＣが、軸方向弾性率ＥＥ１及び軸方向弾性率ＥＥ２の少なくとも一方に対して５０倍以下であることにより、肘関節に対する過度の締め付け（圧迫）がより抑制され、着用時の快適性がより向上するという効果も奏される。
上述した効果がより効果的に得る観点から、軸方向弾性率ＥＣは、軸方向弾性率ＥＥ１及び軸方向弾性率ＥＥ２の少なくとも一方に対して５倍〜４０倍であることが好ましい。
【００７５】
本実施の形態に係る衣類は、筒状の肘関節用サポーター部において、肘関節を曲げた時の外側を含む半周側を外面部とし、肘関節を曲げた時の内側を含む半周側を、内面部とした場合に、軸方向弾性率ＥＥ１を示す領域が一端側領域における内面部に位置し、軸方向弾性率ＥＥ２を示す領域が他端側領域における内面部に位置することが好ましい。
この衣類によれば、着用時の快適性及び関節の曲げ伸ばし動作容易性がより向上する。
【００７６】
軸方向弾性率ＥＥ１及び軸方向弾性率ＥＥ２は、それぞれ、着用時のずれをより抑制する観点から、０．００１ＭＰａ以上であることが好ましく、０．０１ＭＰａ以上であることがより好ましい。
軸方向弾性率ＥＥ１及び軸方向弾性率ＥＥ２は、それぞれ、０．１ＭＰａ以下であることが好ましく、０．０８ＭＰａ以下であることがより好ましい。
【００７７】
その他、本実施の形態に係る衣類における筒状の肘関節用サポーター部には、本実施の形態の肘用サポーターの好ましい態様を適用できる。
本実施の形態に係る衣類は、肘関節用サポーター部のみからなる衣類（即ち、肘用サポーター）であってもよいし、衣類の一部分として肘関節用サポーター部を備える衣類であってもよい。
【００７８】
本実施の形態に係る衣類において、軸方向弾性率ＥＣが軸方向弾性率ＥＥ１及び軸方向弾性率ＥＥ２の少なくとも一方に対して５倍〜５０倍となるように調整する手段としては、筒状の肘関節用サポーター部の一部分を、凹凸組織領域、織物組織、又は樹脂シート（例えば、フィルムなど）によって形成する手段；筒状の肘関節用サポーター部の一部分を、伸長率の高い糸を使用した編地によって形成する手段；等が挙げられる。
【００７９】
軸方向弾性率ＥＥ１を示す領域及び軸方向弾性率ＥＥ２を示す領域は、いずれも凹凸組織領域（好ましくは後述の凹凸編地組織）を含むことが好ましい。これにより、軸方向弾性率ＥＣが軸方向弾性率ＥＥ１及び軸方向弾性率ＥＥ２の少なくとも一方に対して５倍〜５０倍となる関係をより達成し易い。
【００８０】
ここで、凹凸組織領域とは、凹凸形状を有する組織である凹凸組織を含む領域である。
凹凸組織領域に含まれる凹凸組織としては、編物組織（以下、「編物」ともいう）、織物組織（以下、「織物」ともいう）、樹脂シート（例えば、フィルムなど）などが挙げられる。これらの中でも、凹凸組織としては、編物や織物を用いることが好ましく、編物を用いることがより好ましい。また、凹凸組織領域には、単一の凹凸組織を用いてもよく、複数の凹凸組織を組合せて用いてもよい。
これらの中でも、凹凸組織を含む凹凸組織領域としては、着用時の違和感低減、通気性向上、及び動作追従性向上の観点から、凹凸編地を含む凹凸編地領域、凹凸織物を含む凹凸織物領域、又は、凹凸編地と凹凸織物とを含む凹凸組織領域が好ましく、凹凸編地を含む凹凸編地領域がより好ましい。
【００８１】
凹凸編地領域とは、凹凸形状を有する編み組織である凹凸編地を含む領域である。
凹凸編地領域に含まれる凹凸編地としては、単一の凹凸編地であってもよく、２種以上の凹凸編地であってもよい。
【００８２】
凹凸編地領域の面積としては、着用時の伸張した状態での凹凸編地領域の面積が、４ｃｍ２以上であることが好ましく、６ｃｍ２以上であることがより好ましい。
また、凹凸編地領域の周方向長さは、肘用サポーター（サポーター本体）の全周長さ（詳しくは、凹凸編地領域を横切る全周の長さ）の１／６以上の長さであることが好ましく、１／３以上の長さであることがより好ましい。
ここで、凹凸編地領域の周方向長さとは、凹凸編地領域が周方向に分割して配置される場合には、周方向に重複なく寄せ集めた場合の総周方向長さをいう。
凹凸編地領域の形状及び隣接する領域との境界ラインの形状は、特に限定されない。これらは、デザイン性の観点から、適宜設計できる。
【００８３】
本実施の形態に係る衣類において、肘関節用サポーター部は、中央領域及び凹凸組織領域（例えば、凹凸編地領域）を含む。肘関節用サポーター部は、中央領域及び凹凸組織領域以外の領域（その他の領域）を含んでいてもよい。
中央領域及び凹凸組織領域に加えてその他の領域を含む場合、その他の領域は、織物、樹脂シート、中央領域及び凹凸組織領域とは異なる編み組織、等によって構成することができる。中でも、肌ストレス軽減の観点からは、編み組織又は織物が好ましく、弾性糸を用いた編み組織がより好ましい。ただし、その他の領域の組織は、軸方向弾性率ＥＣが軸方向弾性率ＥＥ１及び軸方向弾性率ＥＥ２の少なくとも一方に対して５倍〜５０倍となるように適宜選定する。
【００８４】
凹凸編地領域は、タックの繰り返し編み組織を含むことが好ましい。
ここで、タックの繰り返し編みとは、タック編みを繰り返して編成する編成方法を意味する。
凹凸編地領域が、タックの繰り返し編み組織を含む場合には、伸縮性を調整することがより容易となる。
【００８５】
また、凹凸編地領域における凹凸編地は、フロート編み組織を含むことも好ましい。
凹凸編地におけるフロート編み組織は、フロート編み組織以外の編み組織より伸び縮みし易い。フロート編み組織を含む凹凸編地が柔らかい理由は、着用時に凹凸編地領域が伸びた場合においても凹凸編地におけるフロート編み組織に伸び代（即ち、凹凸）が残るためと考えられる。この伸び代が肌に触れた時に、柔らかい感触を与える。また、凹凸編地の製造し易さの観点からもフロート編み組織を配することにより凹凸編地を形成することが好ましい。
また、凹凸編地領域における凹凸編地は、弾性糸によって編成されることが好ましく、上記凹凸編地は、弾性糸を用いたフロート編み組織を含む凹凸編地であることがより好ましい。弾性糸を用いることで凹凸編地をより柔らかくすることができる。
弾性糸としては、ポリウレタン、ポリオレフィン系エラストマー、天然ゴム、シリコーンなどが挙げられる。この中でも、より弾性に優れる観点から、ポリウレタン、ポリオレフィン系エラストマー、天然ゴムが好ましい。
【００８６】
肘関節用サポーター部を丸編みによって一体的に製造する際の製造適性にも優れる観点からは、軸方向にフロート編み組織を配することが好ましい。
【００８７】
また、凹凸編地領域は、長尺形状の凹部を有することが好ましい。
ここでいう長尺形状は、言うまでも無く、平面視における凹部の形状である。
凹凸編地領域のうち、特に凹部の底部分は、伸びやすい性質を有する。このため、長尺形状の凹部を有する凹凸編地領域は、この凹部の幅方向に伸びやすい性質を有する。従って、凹凸編地領域が長尺形状の凹部を有することにより、凹凸編地領域全体が伸び易くなるので、動作追従性がより向上する。
【００８８】
凹凸編地領域は、長尺形状の凹部を複数有することが好ましい。
凹凸編地領域は、長尺形状の凹部を複数有し、これら複数の凹部の各々は、長さ方向が、筒状の肘関節用サポーター部の周方向に対して略平行であることが好ましい。
この場合、長尺形状の凹部の幅方向が肘関節用サポーター部の軸方向に対応する。このため、凹凸編地領域が肘関節用サポーター部の軸方向に伸び易くなるので、動作追従性がより向上する。
【００８９】
また、凹凸編地領域が、上記長さ方向を有する長尺形状の凹部を複数有することは、肘関節用サポーター部を丸編みによって製造する際の製造適性にも優れる点でも有利である。詳細には、肘関節用サポーター部を丸編みによって製造する際、フロート編みによって周方向の編目を１目以上飛ばして編むことにより、上記長尺形状の凹部（即ち、その長さ方向が、肘関節用サポーター部の周方向に対して略平行である長尺形状の凹部）を容易に製造できる。
【実施例】
【００９０】
以下、本発明を実施例により具体的に説明するが、本発明はこれらの実施例に限定されるものではない。
上述した肘用サポーター１０と同様の構成を有する実施例１のサポーター及び実施例２のサポーターを作製した。
【００９１】
実施例１のサポーターは、上腕側口ゴム部、筒状のサポーター本体、及び前腕側口ゴム部を、丸編みによって連続的に編成することにより製造した。
筒状のサポーター本体は、編成組織を浮き編み組織を含む編成組織とした。この際、筒状のサポーター本体を構成する各部（肘頭面部、肘内面部、上腕側外面部、上腕側内面部、前腕側外面部、及び前腕側内面部）間で、浮き糸の密度及び分布を変化させることにより、各部の軸方向弾性率（軸方向弾性率Ａ〜Ｆ）が式（１）〜式（３）、式（４ａ）、及び式（５ａ）を満たすようにした。
【００９２】
また、上腕側口ゴム部及び前腕側口ゴム部の編成組織は、いずれもノンラン編み組織とした。
実施例１のサポーターの材質は、ナイロン及びポリウレタンである。
【００９３】
実施例２のサポーターは、上腕側口ゴム部、筒状のサポーター本体、及び前腕側口ゴム部を、丸編みによって連続的に編成することにより製造した。
筒状のサポーター本体は、編成組織を浮き編み組織を含む編成組織とした。この際、筒状のサポーター本体を構成する各部（肘頭面部、肘内面部、上腕側外面部、上腕側内面部、前腕側外面部、及び前腕側内面部）間で、浮き糸の密度及び分布を変化させることにより、各部の軸方向弾性率（軸方向弾性率Ａ〜Ｆ）が式（１）〜式（３）、式（４ｃ）、及び式（５ｃ）を満たすようにした。
【００９４】
また、上腕側口ゴム部及び前腕側口ゴム部の編成組織は、いずれもノンラン編み組織とした。
実施例２のサポーターの材質は、ナイロン及びポリウレタンである。
【００９５】
実施例１のサポーター及び実施例２のサポーターの非非伸長時のサイズは、表１に示す通りである。なお、表１では、実施例１のサポーターを「実施例１」とし、実施例２のサポーターを「実施例２」としている。
【００９６】
【表１】
2018154951.tif 000003
【００９７】
上記実施例１のサポーター及び実施例２のサポーターの各々について、軸方向弾性率（軸方向への８０％伸長時弾性率）、２０Ｎ軸方向伸長率（軸方向に２０Ｎの荷重で伸長させたときの該軸方向の伸長率）、周方向弾性率（周方向への８０％伸長時弾性率）、及び２０Ｎ周方向伸長率（周方向に２０Ｎの荷重で伸長させたときの該周方向の伸長率）の測定を行った。
軸方向弾性率、２０Ｎ軸方向弾性率、及び周方向弾性率の測定方法は前述したとおりである。２０Ｎ周方向伸長率の測定方法は、測定方向を周方向とすること以外は、２０Ｎ軸方向伸長率の測定方法と同様である。
【００９８】
結果を下記表２に示す。なお、表２においては、表１と同様に、実施例１のサポーターを「実施例１」とし、実施例２のサポーターを「実施例２」としている。また、軸方向欄の「８０％弾性率」は、軸方向弾性率を示し、周方向欄の「８０％弾性率」は、周方向弾性率を示す。軸方向欄の「２０Ｎ伸長率」は、２０Ｎ軸方向伸長率を示し、周方向欄の「２０Ｎ伸長率」は、２０Ｎ周方向伸長率を示す。
【００９９】
【表２】
2018154951.tif 000004
【０１００】
表２に示すように、本発明の肘用サポーターの具体例である実施例１のサポーター及び実施例２のサポーターは、式（１）〜式（３）を満たしていた。従って、実施例１のサポーター及び実施例２のサポーターは、何れも肘関節に対する固定感及び肘関節の曲げ伸ばし動作容易性に優れることが期待される。
【０１０１】
ここで、実施例１のサポーターは、式（４ａ）、式（５ａ）、式（６）〜式（９）、式（１ａ）〜式（３ａ）、式（４ｂ）、及び式（５ｂ）を満たしていることがわかる。従って、実施例１のサポーターは、肘関節に対する固定感及び肘関節の曲げ伸ばし動作容易性に特に優れ、更には、快適性（詳細には、フィット感向上、ずれ抑制、及び圧迫抑制）に優れることが期待される。
【０１０２】
また、実施例２のサポーターは、式（４ｃ）、式（５ｃ）、式（６）〜式（９）、及び式（１ａ）〜式（３ａ）を満たしていることがわかる。従って、実施例２のサポーターは、肘関節に対する固定感及び肘関節の曲げ伸ばし動作容易性（特に、肘関節の曲げ伸ばし動作容易性）に優れ、更には、快適性に優れることが期待される。
【０１０３】
次に、実施例１のサポーター及び実施例２のサポーターの各々について、実際に、成人男性４名及び成人女性１名の計５名の被験者に２日間着用させ、各被験者に対し、着用感に関するヒヤリングを行った。
その結果、いずれの被験者からも、実施例１のサポーター及び実施例２のサポーターは、肘関節に対する固定感及び肘関節の曲げ伸ばし動作容易性に特に優れ、更には、快適性（詳細には、フィット感向上、ずれ抑制、及び圧迫抑制）にも優れる、との感想が得られた。
【符号の説明】
【０１０４】
１０    肘用サポーター
２０    サポーター本体
２８    肘頭面部
３０    肘内面部
３２    上腕側外面部
３４    上腕側内面部
３６    前腕側外面部
３８    前腕側内面部
４０    上腕側口ゴム部
４２    前腕側口ゴム部
【図１】
2018154951.tif 000005
【図２】
2018154951.tif 000006